(57)【特許請求の範囲】
【請求項１】
被検眼の角膜形状を測定するための角膜形状視標を、前記被検眼の角膜に向けて投影する角膜形状視標投影手段と、
前記被検眼にて反射される視標反射像に基づき角膜形状を測定すると共に、前記被検眼を観察する観察光学系と、
前記観察光学系の光路を一部兼用すると共に、この兼用された光路を介して前記被検眼に向けて前記被検眼の眼屈折力を測定するための眼屈折測定視標を投影する眼屈折力測定視標光学系と、
を含み、
前記角膜形状視標投影手段は、
前記角膜形状視標の一部である第１の視標を前記角膜の周辺領域に向けて投影する第１の投影手段と、
前記角膜形状視標の他の一部である第２の視標を少なくとも前記眼屈折力測定視標光学系と前記観察光学系とで兼用される前記光路を通して、前記角膜の中心領域に向けて投影する第２の投影手段と、
を含むことを特徴とする眼科装置。
【請求項２】
前記第１の投影手段の前記第１の視標は、略同心円状の複数のリングよりなる第１のリングパターンにて形成され、
前記第２の投影手段の前記第２の視標は、少なくとも前記第１のリングパターンの最小径リングより小さい径のリングよりなる第２のリングパターンにて形成されることを特徴とする請求項１に記載の眼科装置。
【請求項３】
前記第１の投影手段は、前記第１の視標を形成する第１の板を含み、
前記第１の板は、中心領域にて前記眼屈折力を測定するための光束の通過を許容する孔部を含むことを特徴とする請求項１又は請求項２に記載の眼科装置。
【請求項４】
前記第２の投影手段は、前記観察光学系の光路上に配設されて前記第２の視標を形成する第２の板を含み、
前記第２の板は、中心領域にて前記視標反射像の光軸の通過を許容する孔部を含むことを特徴とする請求項１又は請求項２に記載の眼科装置。
【請求項５】
前記眼屈折力測定視標光学系と前記観察光学系とで兼用される前記光路上であって、前記第１の板の前記孔部と対向してレンズが配設され、
前記第２の投影手段は、前記レンズを通して前記角膜の中心領域に向けて投影することを特徴とする請求項３に記載の眼科装置。
【請求項６】
前記第２の投影手段の前記第２の板は、少なくとも１つのリングパターン透光部を含み、
前記リングパターン透光部の径が、前記被検眼上で少なくとも径１．０ｍｍ以下となるように形成されることを特徴とする請求項４に記載の眼科装置。
【発明の詳細な説明】
【０００１】
【発明の属する技術分野】
本発明は、眼科装置に関し、特に、被検眼の角膜に向けて視標を投影して角膜測定を行う眼科装置に関する。
【０００２】
【従来の技術】
従来より、角膜形状を精密に測定するために、被検眼の角膜に向けて視標例えばプラチドパターンを投影する角膜形状測定装置が知られている。
【０００３】
なお、本明細書においては、「角膜形状測定」とは、角膜の中心領域の中心角膜形状や角膜の周辺領域の周辺部角膜形状等の角膜マッピング測定に限らず、例えば角膜曲率半径、角膜乱視度、角膜乱軸角度、等の測定を含むものとする。
【０００４】
一方、被検眼の眼屈折力を測定する装置として、いわゆるレフラクトメータと称される眼屈折力測定装置が知られている。
【０００５】
一般に、角膜形状や眼屈折力のデータ等は、適切な診断を行うための重要データであり、一つの装置による測定によってこれらデータを得ることが望ましい。また、装置の占有スペースを小さくする要請もある。このような観点から、近年、上述のような角膜形状を測定する機能と、眼屈折力を測定する機能との双方を備えた複合機能を有するタイプの眼科装置も登場している。
【０００６】
このような眼科装置では、例えばプラチドパターンを形成するプラチド板の中心領域に円形の孔部を形成し、この孔部を介して眼屈折力測定用の視標光束を投影するとともに、この孔部を介して眼底からの反射光を受光せしめることにより、一台の装置により角膜形状データと眼屈折力データの取得を可能としている。
【０００７】
【発明が解決しようとする課題】
ところで、角膜形状を解析する場合には、角膜形状の測定範囲を、角膜中心部付近まで拡張できるようにすることが望まれている。例えば、角膜上にΦ１．０のリングパターンを投影し、このリングパターンに基づく角膜形状測定を行うことが望まれている。このためには、上記プラチド板上の最小のリングをより小さくし、孔部を小さくすることが考えられる。
【０００８】
しかし、この孔部を一定の大きさ以下にすると、眼屈折力測定用の光束の投影、受光が阻害されてしまう。このため、角膜形状測定装置の測定範囲の拡大によって、眼屈折力の測定感度の低下が生じ、誤った測定結果を算出して、検者の誤診を促す恐れがある。
【０００９】
このように、角膜形状の測定範囲には限界があり、角膜の中心領域付近は測定できなかった。
【００１０】
本発明は、上記事情に鑑みてなされたものであり、その目的とするところは、眼屈折力を測定するための光束を阻害することなく、角膜の中心領域付近の角膜形状を測定可能とし、しかも眼屈折力を正確に測定できる眼科装置を提供することにある。
【００１１】
【課題を解決するための手段】
上記目的を達成するために、本発明は、被検眼の角膜形状を測定するための角膜形状視標を、前記被検眼の角膜に向けて投影する角膜形状視標投影手段と、前記被検眼にて反射される視標反射像に基づき角膜形状を測定すると共に、前記被検眼を観察する観察光学系と、前記観察光学系の光路を一部兼用すると共に、この兼用された光路を介して前記被検眼に向けて前記被検眼の眼屈折力を測定するための眼屈折測定視標を投影する眼屈折力測定視標光学系と、を含み、前記角膜形状視標投影手段は、前記角膜形状視標の一部である第１の視標を前記角膜の周辺領域に向けて投影する第１の投影手段と、前記角膜形状視標の他の一部である第２の視標を少なくとも前記眼屈折力測定視標光学系と前記観察光学系とで兼用される前記光路を通して、前記角膜の中心領域に向けて投影する第２の投影手段と、を含むことを特徴としている。
【００１２】
また、本発明は、前記第１の投影手段の前記第１の視標は、略同心円状の複数のリングよりなる第１のリングパターンにて形成され、前記第２の投影手段の前記第２の視標は、少なくとも前記第１のリングパターンの最小径リングより小さい径のリングよりなる第２のリングパターンにて形成されることを特徴としている。
【００１３】
また、本発明は、前記第１の投影手段は、前記第１の視標を形成する第１の板を含み、前記第１の板は、中心領域にて前記眼屈折力を測定するための光束の通過を許容する孔部を含むことを特徴としている。
【００１４】
また、本発明は、前記第２の投影手段は、前記観察光学系の光路上に配設されて前記第２の視標を形成する第２の板を含み、前記第２の板は、中心領域にて前記視標反射像の光軸の通過を許容する孔部を含むことを特徴としている。
【００１５】
また、本発明は、前記眼屈折力測定視標光学系と前記観察光学系とで兼用される前記光路上であって、前記第１の板の前記孔部と対向してレンズが配設され、前記第２の投影手段は、前記レンズを通して前記角膜の中心領域に向けて投影することを特徴としている。
【００１６】
また、本発明は、前記第２の投影手段の前記第２の板は、少なくとも１つのリングパターン透光部を含み、前記リングパターン透光部の径が、前記被検眼上で少なくとも径１．０ｍｍ以下となるように形成されることを特徴としている。
【００１７】
【発明の実施の形態】
以下、本発明の好適な実施の形態の一例について、図面を参照して具体的に説明する。
【００１８】
（概略説明）
先ず、本発明の眼科装置の全体の概略構成について、図１を参照して説明する。図１は、本例の眼科装置を示す説明図である。
【００１９】
本例の眼科装置１は、複数のリングパターンを被検眼Ｅの角膜Ｅｃに向けて投影し、被検眼Ｅにて反射される複数のリング反射像に基づき角膜Ｅｃの形状を測定する機能と、被検眼Ｅの眼屈折力を測定する機能と、を有するものである。
【００２０】
具体的には、眼科装置１は、図１に示すように、被検眼Ｅに固視標を投影し、雲霧を行う固視標投影光学系１０と、後述する角膜形状視標の一部である視標Ｃ１〜Ｃ４（第１の視標）を、角膜Ｅｃの周辺領域に向けて投影するためのリング板３０と、被検眼Ｅの前眼部を観察し、アライメントを行うと共に、被検眼Ｅにて反射される視標反射像に基づき角膜形状を測定するための観察光学系４０と、被検眼Ｅの眼底Ｅｒに眼屈折力を測定するための測定光にて眼屈折力測定視標をを投影することで、被検眼Ｅの眼屈折力を他覚的に測定する眼屈折力測定視標光学系５０と、眼底Ｅｒで反射される測定光を受光する受光光学系６０と、アライメント用の視標である後述するアライメントマークＣ５を投影するためのアライメント視標投影光学系７０と、被検眼Ｅの角膜Ｅｃに角膜形状を測定するための角膜形状視標の一部である後述する視標Ｃ６（第２の視標例えば同心円状のリングパターンであるプラチドパターン等）を、角膜Ｅｃの中心領域に投影するためのリング板８０と、を含んで構成される。
【００２１】
なお、本例では、固視標投影光学系１０、眼屈折力測定視標光学系５０、受光光学系６０とで眼屈折力測定手段を構成している。さらに、リング板３０を含んで第１の投影手段を構成し、リング板８０を含んで第２の投影手段を構成している。この第１の投影手段と第２の投影手段により角膜形状視標投影手段を構成している。この角膜形状視標投影手段は、被検眼Ｅの角膜形状を測定するための角膜形状視標（後述するＣ１〜Ｃ４及びＣ６）を、被検眼Ｅの角膜Ｅｃに向けて投影するものである。
【００２２】
これにより、角膜形状を測定するための角膜形状視標の一部を、観察、アライメントを行うための観察光学系４０の対物レンズ２２（詳細は後述する）を通して被検眼Ｅの角膜Ｅｃに投影する。以下、これらの各光学系について説明する。
【００２３】
（固視標投影光学系）
固視標投影光学系１０は、図１に示すように、光源であるランプ１１、コリメータレンズ１２、固視標板１３、反射ミラー１４、コリメータレンズ１５、反射ミラー１６、移動レンズ１７、リレーレンズ１８、反射ミラー１９、ダイクロイックミラー２０、２１、対物レンズ２２、を光路Ａ１上に配することにより構成される。
【００２４】
この固視標投影光学系１０では、ランプ１１から発した光束は、コリメータレンズ１２を通り、固視標板１３を照明する。固視標板１３から出た光束は、反射ミラー１４で反射された後、コリメータレンズ１５を介して反射ミラー１６で反射され、移動レンズ１７、リレーレンズ１８を介して反射ミラー１９で反射されるとともにダイクロイックミラー２０を透過し、ダイクロイックミラー２１にて反射され、対物レンズ２２によって被検眼Ｅに投影される。
【００２５】
なお、固視標板１３は、眼底Ｅｒと共役位置にあり、固視標板１３には固視標となるマーク（例えば図示しない風景チャートやスターバストチャート等）が形成され、このマークが眼底Ｅｒに投影されるものである。このマークの投影により被検眼Ｅを所定方向に向けるとともに雲霧視させる。
【００２６】
また、リレーレンズ１８は、光軸Ａ１方向に移動することによって被検眼Ｅに雲霧がかかるようにするものである。この移動は、図示しないリレーレンズ移動機構を、後述する制御系にて制御することで行われる。
【００２７】
（観察光学系）
観察光学系４０は、リング板３０の孔部３３、対物レンズ２２、ダイクロイックミラー２１、リング板８０の孔部８３、ダイクロイックミラー７４、リレーレンズ４１、４２、ダイクロイックミラー４３、ＣＣＤレンズ４４、撮像手段であるＣＣＤ４５を光路Ａ２上に配することにより構成される。
【００２８】
前眼部の像を形成する光束は、対物レンズ２２を介してダイクロイックミラー２１を透過し、ダイクロイックミラー７４、リレーレンズ４１、４２、ダイクロイックミラー４３を介してＣＣＤレンズ４４にて結像され、ＣＣＤ４５上に前眼部反射像が結像される。
【００２９】
そして、前眼部は、表示手段であるモニタ２０２（図８参照）に表示され、装置の光軸と被検眼Ｅをアライメントするために利用される。
【００３０】
（眼屈折力測定視標光学系）
眼屈折力測定視標光学系５０は、光源である赤外ＬＥＤ５１、コリメータレンズ５２、円錐プリズム５３、リング状視標５４、リレーレンズ５５、リング状絞り５６、孔あきプリズム５７、ダイクロイックミラー２０、２１、対物レンズ２２、を光路Ａ３上に配することにより構成される。
【００３１】
この眼屈折力測定視標光学系５０では、赤外ＬＥＤ５１から発した光束は、コリメータレンズ５２、円錐プリズム５３を介して眼屈折力測定視標であるリング状視標５４を照射する。リング状視標から出た光束は、リレーレンズ５５を透過し、リング状絞り５６にて光束が絞られる。この絞られた光束は、穴あきプリズム５７にて反射され、ダイクロイックミラー２０にて反射されるとともにダイクロイックミラー２１でも反射され、対物レンズ２２により被検眼Ｅの眼底Ｅｒにリング状視標５４を投影する。
【００３２】
ここで、赤外ＬＥＤ５１は、近赤外域の光を発光するものである。また、円錐プリズム５３は、コリメータレンズ５２によって平行光束とされた赤外ＬＥＤ５１からの光をリング光束にする為の部材で、リレーレンズ５５により赤外ＬＥＤ５１とリング状絞り５６とが光学的に共役となっている。
【００３３】
さらに、リング状絞り５６は、図７に示すように、リング状のリングパターン透光部５６ｂと遮光部５６ａとから形成される。また、リング状視標５４は、リング状のリングパターン透光部５４ｂと遮光部５４ａとから形成されていて、リング状絞り５６と被検眼瞳孔Ｐｕとは対物レンズ２２に関して光学的な共役位置にある。そして、リング状視標５４のリングパターン透光部５４ｂを透過する光によるリング像は、リング状絞り５６により絞られ眼底Ｅｒに投影される。
【００３４】
（受光光学系）
受光光学系６０は、対物レンズ２２、ダイクロイックミラー２１、２０、穴あきプリズム５７、反射ミラー６１、リレーレンズ６２、移動レンズ６３、反射ミラー６４、ダイクロイックミラー４３、ＣＣＤレンズ４４、ＣＣＤ４５、を光路Ａ４上に配することにより構成される。
【００３５】
この受光光学系６０では、眼底Ｅｒで反射した光束は、対物レンズ２２を透過し、ダイクロイックミラー２０にて反射されるとともにダイクロイックミラー２１で反射され、孔あきプリズム５７の孔部を通過し反射ミラー６１にて反射され、リレーレンズ６２、移動レンズ６３を介して反射ミラー６４にて反射されるとともにダイクロイックミラー４３にて反射され、ＣＣＤレンズ４４を通りＣＣＤ４５に投影される。この移動レンズ６３の光軸Ａ４方向での移動量に基づき、眼屈折力を得ることができる。
【００３６】
眼底Ｅｒに投影されたリング状視標光の眼底からの反射光束は、受光光学系６０を介してＣＣＤ４５に結像してリング像が形成される。このリング像から眼屈折力を後述する制御回路２０９（図８参照）が演算して求める。
【００３７】
（アライメント視標投影光学系）
アライメント視標投影光学系７０は、光源である赤外ＬＥＤ７１、絞り７２、リレーレンズ７３、ダイクロイックミラー７４を光路Ａ５上に配することにより構成される。
【００３８】
赤外ＬＥＤ７１を発した光束は、アライメント用の視標である絞り７２を照明する。絞り７２からの光束は、リレーレンズ７３を介してダイクロイックミラー７４にて反射される。反射された光束は、ダイクロックミラー２１、対物レンズ２２を介して被検眼Ｅの角膜Ｅｃに投影され、角膜Ｅｃで反射した光束は、光路Ａ２を通りＣＣＤ４５に投影される。
【００３９】
（第１の投影手段におけるリング板について）
次に、本発明の特徴の一部をなす上述のリング板３０の具体的構成並びに本例の第１の投影手段について、図２を用いて説明する。
【００４０】
本例では、リング板３０と、このリング板３０に形成された第１の視標であるリングパターンに沿って同心円状に配設された赤外ＬＥＤ３４とを含んだ構成により第１の投影手段を構成している。
【００４１】
リング板３０は、図２（Ｂ）に示すように、略円状に形成された拡散板からなり、同心円状に複数形成された光を拡散・透過させるリングパターン透光部３２（３２ａ〜３２ｄ）と、光を遮断するためのリングパターン遮光部３１（３１ａ〜３１ｅ）と、リング板３０の中心部分に形成された孔部３３と、を含んで構成される。この複数のリングパターン透光部３２（３２ａ〜３２ｄ）から光を拡散・透過させることによって、被検眼Ｅ上にリングパターン状の視標Ｃ１〜Ｃ４（第１の視標）を直接に投影することが可能となる。
【００４２】
また、孔部３３は、眼屈折力測定視標光学系５０と被検眼Ｅとの間で対物レンズ２２を介して通過する光束や、他の各種光学系からの各光束等の通過を許容する大きさに形成される。特に、眼屈折力の測定における測定感度は、被検眼Ｅ上の光束径によって決まるので、測定感度を大きくするには対物レンズ２２の径をできるだけ大きくする必要がある。従って、この孔部３３の径の大きさも、対物レンズ２２からの光束が十分通過できるように形成することで、高い測定感度を維持できる。
【００４３】
なお、リングパターン透光部３２（３２ａ〜３２ｄ）の数は、図２（Ｂ）に示すものでは、複数例えば４個形成する例を示したが、この例に限定されるものではなく、複数例えば５個、６個、８個と形成しても構わない。さらに、各リングパターン透光部の間隔も、場所によって太くしたり、細くしたりすることも可能である。例えば、偶数番目のリングパターン透光部を太くし、奇数番目のリングパターン透光部を細くして、表示態様（投影態様）を大スケールに相当する部分は線を太くし、小スケール部分は線を細くして見易い表示にしても構わない。また、各リングパターン遮光部の間隔を、外周部になるに従い大きくする構成であってもよい。
【００４４】
このリングパターン透光部３２（３２ａ〜３２ｄ）から拡散・透過される光の光源としては、図２（Ａ）に示すように、拡散板であるリング板３０の背面位置であって、リングパターン透光部３２（３２ａ〜３２ｄ）に対応して複数配置された複数の赤外ＬＥＤ３４を用いることが好ましい。なお、図２（Ａ）の断面図では、孔部３３を中心に上下に４つずつ計８個配設されているが、実際には、図２（Ｂ）のリング状のリングパターン透光部３２（３２ａ〜３２ｄ）と対応して、赤外ＬＥＤ３４もリング状に配置される。また、赤外ＬＥＤ３４は、被検眼Ｅの前眼部をリングパターン透光部３２を通して照明する機能も有している。
【００４５】
（第２の投影手段におけるリング板について）
次に、本発明の特徴である上述のリング板８０の具体的構成についても詳述する。
【００４６】
本例では、リング板８０と、このリング板８０に形成されたプラチドパターンに沿って円状に配設された赤外ＬＥＤ８４と、を含んだ構成により第２の投影手段を構成している。
【００４７】
このリング板８０も、図３（Ａ）（Ｂ）に示すように、構造的には、リング板３０と同様に、略円状に形成され、対物レンズ２２の焦点位置に配置される平面状の拡散板からなり、この拡散板の表面にリング状の印刷を多重に施したものである。リング板８０は、同心円状に１つ又は複数形成され、所定の幅のリングパターンの光を拡散、透過させるリングパターン透光部８２と、リングパターンの光を遮断するためのリングパターン遮光部８１と、中心部分に形成された円形の孔部８３と、を含んで構成される。
【００４８】
リングパターン透光部８２は、例えば拡散板の表面に塗装された白色塗料層と黒色塗料層とによって形成された部分において、塗料が塗られていない部分である。
【００４９】
リングパターン透光部８２の径は、被検眼Ｅ上に投影されるリングパターンの径が少なくとも１．０ｍｍ以下となることが好ましい。これにより、角膜中心領域の精密な角膜形状を測定することができる。
【００５０】
中心部分に形成された孔部８３の大きさは、観察光学系４０のＣＣＤ４５に前眼部像を形成する光束を十分に確保できる程度に、設定することが好ましい。
【００５１】
このリングパターン透光部８２から光を拡散、透過させることによって、後述する表示画面１００（モニター画面）に表示されるような、被検眼Ｅ上にリングパターン状の視標Ｃ６（第２の視標）（図５参照）を投影し、その反射像を表示することが可能となる。なお、リングパターン透光部８２の数は、図３（Ｂ）に示すものでは、例えば１個形成する例を示したが、この例に限定されるものではなく、複数例えば２個、３個、４個、・・・と形成しても構わない。さらに、複数形成する場合には、各リングパターン透光部の間隔も、場所によって太くしたり、細くしたりすることも可能である。例えば、偶数番目のリングパターン透光部を太くし、奇数番目のリングパターン透光部を細くして、表示態様（投影態様）を大スケールに相当する部分は線を太くし、小スケール部分は線を細くしても構わない。
【００５２】
また、各リングパターン遮光部間の間隔を、外周部になるに従い大きくする構成であってもよい。
【００５３】
このリングパターン透光部８２から拡散、透過される光の光源としては、図３（Ａ）に示すように、拡散板であるリング板８０の背面位置であって、リングパターン透光部８２に対応して複数配置された赤外ＬＥＤ８４を用いることが好ましい。
【００５４】
赤外ＬＥＤ８４は、近赤外域の照明ランプであり、リングパターン透光部８２ｄに対向して配設され、図示しないＰＣ板に取り付けられている。この図示しないＰＣ板は、例えばユニットベースに固定され、その表面は白色となって赤色光を前方へ反射するようになっている。なお、図３（Ａ）の断面図では、孔部８３を中心に上下に１つずつ計２個配設されているが、実際には、図４に示すように、図３（Ｂ）のリング状のリングパターン透光部８２と対応して、赤外ＬＥＤ８４もリング状に配置される。
【００５５】
上記のようなリング板３０の孔部３３及びリング板８０の孔部８３の構成によって、先ず、リング板３０のリングパターン透光部３２を透過する複数の赤外ＬＥＤ３４からの光束は、角膜周辺領域を測定するためのリングパターンとして被検眼Ｅの角膜Ｅｃに投影される。そして、角膜Ｅｃで反射したリングパターンの反射光束は、観察光学系４０の光路Ａ２を介してＣＣＤ４５上に投影される。
【００５６】
加えて、リング板８０のリングパターン透光部８２を透過する複数の赤外ＬＥＤ８４からの光束は、角膜中心領域を測定するためのリングパターンとして、ダイクロックミラー２１、対物レンズ２０を介して被検眼Ｅの角膜Ｅｃに投影される。そして、角膜Ｅｃで反射したリングパターンの反射光束は、観察光学系４０の光路Ａ２を介してＣＣＤ４５上に投影される。
【００５７】
これにより、角膜形状視標である第１の視標（Ｃ１〜Ｃ４）及び第２の視標Ｃ６を表示画面１００（図５参照）に形成する。
【００５８】
（表示画面について）
本例の眼科装置の表示手段であるモニタ２０２には、図５に示すような、視標像Ｃ１〜Ｃ４（第１の視標）及びＣ６（第２の視標）が表示される。すなわち、モニタ２０２の表示画面１００には、被検眼Ｅが表示されるとともに、この被検眼Ｅ上に、視標Ｃ１〜Ｃ４及びＣ６が表示されることとなる。なお、図５において、Ｃａは角膜Ｅｃの周縁の輪郭を示し、Ｃ１〜Ｃ４及びＣ６が視標を示している。
【００５９】
この視標Ｃ１〜Ｃ４及びＣ６は、上述した第１の投影手段に基づいて表示される第１の視標Ｃ１〜Ｃ４と、第２の投影手段に基づいて表示される第２の視標Ｃ６と、を含んで構成されている。
【００６０】
第１の視標であるリングパターンＣ１〜Ｃ４は、上述したリング板３０により投影された角膜反射像を示している。Ｍは、図示しない画像合成回路により形成されるアライメントマークを示しており、第２の視標であるリングパターンＣ６は、リング板８０により投影された角膜反射像を示している。また、ＰＲは、アライメント視標投影光学系７０により投影されたアライメント視標７２の角膜反射像を示している。
【００６１】
このように、本例では、角膜中心領域において視標を従来よりも細かく形成することによって、より正確な角膜形状の測定が可能となる。
【００６２】
なお、図示しないが、他のモードでは、表示画面１００には、角膜曲率半径測定データや眼屈折力測定データも合成表示される。
【００６３】
（制御系について）
図８には、上述のような眼科装置における制御系の構成を示す機能ブロック図が開示されている。
【００６４】
本例の眼科装置１では、観察光学系４０のＣＣＤ４５からの被検眼Ｅ等の画像、視標Ｃ１〜Ｃ４及びＣ６（リングパターン像、プラチドリング投影画像）、及び眼屈折力や角膜形状等の測定関連情報等を表示する表示手段としてのモニタ２０２と、被検眼等の画像、視標Ｃ１〜Ｃ４及びＣ６（リングパターン像、プラチドリング投影画像）、眼屈折力や角膜形状等の測定関連情報、眼科装置２００全体を制御する制御プログラム情報等の各種情報を記憶する記憶手段としてのメモリ２０３と、前記表示手段２０２に表示された画像及び各種のデータを印刷する印刷手段としてのプリンタ２０４と、検者により操作される操作部２０８と、上述した各種の光学系（１０、４０、５０、６０、７０）・及び角膜形状視標投影手段に含まれる赤外ＬＥＤ３４・８４を含む光学測定手段２１０と、これらの制御を司るとともに各種の演算を行う制御回路２０９と、を含んで構成される。
【００６５】
なお、操作部２０８には、位置合わせや照準を行うための例えばコントロールレバーや、眼屈折力測定モード・角膜形状の画像表示モード・角膜曲率半径と眼屈折力の同時測定モード等の各種モード切換を行うモード切換スイッチ、印刷出力を行うためのプリントスイッチ、測定スイッチ等の各種スイッチを備えたコントロールスイッチを含んで構成されている。
【００６６】
制御回路２０９は、メモリ２０３に記憶された画像の視標Ｃ１〜Ｃ４及びＣ６（図５参照）から角膜形状や、角膜曲率半径等を演算する機能を有する。
【００６７】
この場合、図８において、赤外ＬＥＤ３４、８４と、観察光学系４０と、制御回路２０９とで角膜の形状を測定する角膜形状測定装置が構成される。
【００６８】
また、この制御回路２０９は、操作部２０８の操作に基づいてプリンタ２０４等の制御を行ったりする。さらに、制御回路２０９は、眼底Ｅｒに投影されたリング像から眼屈折力を演算するようになっている。
【００６９】
このような制御系を備えた眼科装置１では、検者が操作部２０８により操作を行うと、モニタ２０２には、被検者の被検眼が表示される。さらに、操作部２０８の操作に基づき、アライメント等の動作が行われる（詳細は後述する）。
【００７０】
（動作について）
次に、図１〜図８を参照して上述のような構成の眼科装置の動作を説明する。
【００７１】
先ず、被検眼Ｅの角膜形状を測定する場合において、検者は、モニタ２０２の表示画面１００上に映った被検眼Ｅの前眼部の角膜像を見ながらアライメントを行う。ここで、図５に示すように、表示画面１００上には、アライメントを行うためのアライメントマークＭを電気的に表示している。
【００７２】
このアライメントマークＭの中心に、図１に示す光路Ａ５で投影された絞り７２の角膜反射像を合わせるように、操作部２０８を操作する。なお、前眼部を観察する際には、赤外ＬＥＤ３４の一部を使用する。
【００７３】
アライメントが完了し、検者が操作部２０８を操作すると、図５に示す画像がメモリ２０３に記憶される。
【００７４】
そして、被検眼Ｅの角膜Ｅｃの反射によるリング反射像の光束は、光軸Ａ２上の対物レンズ２２を介してＣＣＤ４５に前眼部像とともに結像される。
【００７５】
ここで、各リング板８０、３０からの光束について説明する。リング板８０のパターンからの光束は、ダイクロイックミラー２１を透過し対物レンズ２２により角膜Ｅｃに投影される。角膜Ｅｃで反射した光束は、対物レンズ２２，ダイクロイックミラー２１を透過し、リング板８０の孔部を通ってＣＣＤ４５に向かう。
【００７６】
また、リング板３０のパターンを発した光束は、図６に示すように、角膜Ｅｃで反射され、同様に光路Ａ２を通りＣＣＤ４５に投影される。この場合、図５に示すように、リング板３０は、角膜Ｅｃの中心領域から周辺領域の光束を、リング板８０は、角膜Ｅｃの中心領域（極中心部）からの光束をＣＣＤ４５に投影することができる。
【００７７】
そして、モニタ２０２の表示画面１００には、図５に示すように、前眼部像とともにリング反射像である視標Ｃ１〜Ｃ４及びＣ６並びにアライメントマークＭ、絞り７２による角膜反射像ＰＲが表示される。
【００７８】
また、角膜形状測定を行う場合には、ＣＣＤ４５に投影されたリング像は、メモリ２０３に記憶され、各リング像の位置関係から例えば角膜曲率半径を演算する。このようにして、正確な角膜形状が算出される。
【００７９】
さらに、角膜形状等のデータ等がモニタ２０２に表示されると共に、これらのデータはプリンタ２０４によって、図５に示す画像と共にプリントアウトされる。
【００８０】
一方、眼屈折力を測定する場合には、操作手段２０８によりモード切換を行う。次いで、固視標投影光学系１０のランプ１１を点灯させて被検眼Ｅを所定方向に向けさせ、同様にアライメントを行う。アライメントが完了し、図示しないスイッチが押されると、眼屈折力測定視標光学系５０の赤外ＬＥＤ５１が点灯して眼底Ｅｒにリング光束が投影され、この反射光を、受光光学系６０を介してＣＣＤ４５に投影させ、このリング像から眼屈折力を制御回路２０９が演算して求める。
【００８１】
なお、被検眼Ｅの眼屈折力を測定する為の視標５４からの光束は、図７のように投影される。眼屈折力の測定における測定感度は、被検眼Ｅの上の光束径によって決まる。従って、感度を大きくするにはレンズの径を大きくする必要がある。
【００８２】
また、角膜Ｅｃの中心領域（極中心部）を測定するための視標を投影するには、リングパターンを光軸Ａ３中心に近い領域に配置する必要がある。
【００８３】
以上のように本実施の形態によれば、眼屈折力測定の感度を落とすことなく角膜Ｅｃの中心領域（極中心部）から周辺領域までの形状を測定できる。また、対物レンズを通して被検眼角膜にパターンを投影し、各膜からの反射像をこの対物レンズによりＣＣＤに導くようにすることで可能となる。
【００８４】
なお、本発明にかかる装置と方法は、そのいくつかの特定の実施の形態に従って説明してきたが、当業者は本発明の主旨および範囲から逸脱することなく本発明の本文に記述した実施の形態に対して種々の変形が可能である。例えば、上述の各実施の形態では、眼屈折力装置に第１及び第２の投影手段を含む角膜形状視標投影手段を一体的に設けたものであるが、例えば眼底カメラ等の眼科装置にこの手段を一体的に設けてもよい。さらに、角膜形状測定装置と、眼屈折力測定装置との複合機の眼科装置に限定されず、角膜形状測定装置と眼屈折力測定装置とさらに他の一又は複数の各種測定装置を備えた眼科装置であってもよい。さらに、上述のいずれの構成の第２の投影手段を、複数設けてもよい。
【００８５】
さらに、上述の実施の形態では、第２の投影手段を、赤外ＬＥＤ７１、絞り７２、リレーレンズ７３、ダイクロイックミラー７４、角膜中心部測定用のリング板８０の順に配置し、リング板８０を光路Ａ２上に配置する構成としたが、これに限定されるものではない。すなわち、リング板８０をリレーレンズ７３とミラー７４との間に配設する構成であってもよい。この場合には、アライメント視標投影光学系７０は、角膜形状測定用として兼用されることとなる。
【００８６】
【発明の効果】
以上説明したように本発明によれば、眼屈折力の測定感度を維持しながらも、角膜の測定範囲を拡大し、眼屈折力の測定感度を落とすことなく角膜の中心領域から周辺領域までの形状を正確に測定することができる。
【図面の簡単な説明】
【図１】本発明の眼科装置の光学系を示す説明図である。
【図２】同図（Ａ）（Ｂ）は、本発明の眼科装置のリング板を示す説明図である。
【図３】同図（Ａ）（Ｂ）は、本発明の眼科装置のリング板を示す説明図である。
【図４】本発明の眼科装置の赤外ＬＥＤを示す説明図である。
【図５】本発明の眼科装置の表示画面を示す説明図である。
【図６】  本発明の眼科装置において、リング板による照明光速を示す説明図である。
【図７】本発明の眼科装置での眼屈折力の測定投光光束を示す説明図である。
【図８】本発明の眼科装置の制御系を示す機能ブロック図である。
【符号の説明】
１  眼科装置
１０  固視標投影光学系
３０  リング板
４０  観察光学系
５０  眼屈折力測定視標光学系
６０  受光光学系
７０  アライメント視標投影光学系
８０  リング板
【図１】
0004535580.tif 000002
【図２】
0004535580.tif 000003
【図３】
0004535580.tif 000004
【図４】
0004535580.tif 000005
【図５】
0004535580.tif 000006
【図６】
0004535580.tif 000007
【図７】
0004535580.tif 000008
【図８】
0004535580.tif 000009